【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
標準化された特性時間を有するゴルフクラブヘッドであって、
内部空洞を画定するクラウン部分、ソール部分、トゥ部分、ヒール部分、及び、リア部分を有するボディと、
フェース板と、を備え、
前記フェース板は、
前面と、
後面と、
前記ヒール部分近傍から前記トゥ部分近傍へと延びる水平軸、及び、前記水平軸に対して垂直であり、前記クラウン部分近傍から前記ソール部分近傍へと延びる鉛直軸を有する座標系の原点を画定する幾何学的中心と、
前記前面と前記後面との間で測定され、可変厚さプロフィールを画定するために前記フェース板にわたる異なる場所において変化する厚さと、を備え、
前記可変厚さプロフィールは、
前記フェース板の最小厚さを備える周囲領域と、
移行領域と、
前記フェース板の最大厚さを備える中心領域と、を備え、
前記中心領域は、前記鉛直軸に対して２度から６０度の間の角度で延びる長軸を有する卵形の形状を有する、
ゴルフクラブヘッド。
【請求項２】
前記中心領域の前記長軸は、前記鉛直軸に対して２度から３０度の間の角度で延びる、請求項１に記載のゴルフクラブヘッド。
【請求項３】
前記フェース板の前記幾何学的中心が、前記中心領域内に設けられている、請求項１又は２に記載のゴルフクラブヘッド。
【請求項４】
前記移行領域における前記フェース板の前記厚さは、前記中心領域における前記フェース板の前記最大厚さと、前記周囲領域における前記フェース板の前記最小厚さと、の間で徐々に小さくなる、請求項１から３のいずれか一項に記載のゴルフクラブヘッド。
【請求項５】
前記フェース板の特性時間の範囲は１１０マイクロ秒未満である、請求項１から３のいずれか一項に記載のゴルフクラブヘッド。
【請求項６】
前記フェース板の特性時間の範囲は１００マイクロ秒未満である、請求項４に記載のゴルフクラブヘッド。
【請求項７】
前記フェース板の平均特性時間は２３０マイクロ秒から２４５マイクロ秒の間である、請求項１から６のいずれか一項に記載のゴルフクラブヘッド。
【請求項８】
前記フェース板の平均特性時間は２３５マイクロ秒から２４５マイクロ秒の間である、請求項７に記載のゴルフクラブヘッド。
【請求項９】
前記中心領域は、さらに、第１の側と第２の側とを備え、
前記第１の側と前記第２の側と、前記中心領域の短軸によって分割され、
前記第１の側は、前記短軸と前記トゥ部分との間に設けられ、
前記第２の側は、前記短軸と前記ヒール部分との間に設けられ、
前記中心領域の前記第２の側の表面積に対する前記中心領域の前記第１の側の表面積の比率は１．２から２．０の間である、請求項１から８のいずれか一項に記載のゴルフクラブヘッド。
【請求項１０】
前記フェース板は、
上方ヒール側四分円と、
上方トゥ側四分円と、
下方ヒール側四分円と、
下方トゥ側四分円と、を備え、
前記中心領域の全表面積のより大きな割合が、前記下方ヒール側四分円、前記上方ヒール側四分円、及び前記下方トゥ側四分円のうちの１つ以上においてよりも、前記上方トゥ側四分円において設けられている、請求項１から９のいずれか一項に記載のゴルフクラブヘッド。
【請求項１１】
標準化された特性時間を有するゴルフクラブヘッドであって、
内部空洞を画定するクラウン部分、ソール部分、トゥ部分、ヒール部分、及びリア部分を有するボディと、
フェース板と、備え、
前記フェース板は、
前面と、
後面と、
前記ヒール部分近傍から前記トゥ部分近傍へと延びる水平軸、及び、前記水平軸に対して垂直であり、前記クラウン部分近傍から前記ソール部分近傍へと延びる鉛直軸を有する座標系の原点を画定する幾何学的中心と、
前記前面と前記後面との間で測定され、可変厚さプロフィールを画定するために前記フェース板にわたる異なる場所において変化する厚さと、を備え、
前記可変厚さプロフィールは、
前記フェース板の最小厚さを備える周囲領域と、
移行領域と、
前記フェース板の最大厚さを備える中心領域と、を備え、
前記フェース板の特性時間の範囲は１０５マイクロ秒未満であり、
前記フェース板の平均特性時間は２３０マイクロ秒から２４５マイクロ秒の間である、
ゴルフクラブヘッド。
【請求項１２】
前記フェース板の前記中心領域は、さらに、前記鉛直軸から２度から６０度の間の角度で延びる長軸を備える、請求項１１に記載のゴルフクラブヘッド。
【請求項１３】
前記フェース板の前記中心領域は、さらに、前記鉛直軸から２度から３０度の間の角度で延びる長軸をさらに備える、請求項１２に記載のゴルフクラブヘッド。
【請求項１４】
前記フェース板の前記幾何学的中心が前記中心領域に設けられている、請求項１１から１３のいずれか一項に記載のゴルフクラブヘッド。
【請求項１５】
前記移行領域における前記フェース板の前記厚さは、前記中心領域における前記フェース板の前記最大厚さと、前記周囲領域における前記フェース板の前記最小厚さと、の間で徐々に小さくなる、請求項１１から１４のいずれか一項に記載のゴルフクラブヘッド。
【請求項１６】
前記フェース板の特性時間の範囲は９５マイクロ秒未満である、請求項１１から１５のいずれか一項に記載のゴルフクラブヘッド。
【請求項１７】
前記フェース板の平均特性時間は２３５マイクロ秒から２４５マイクロ秒の間である、請求項１１から１６のいずれか一項に記載のゴルフクラブヘッド。
【請求項１８】
前記中心領域は、さらに、第１の側と第２の側とを備え、
前記第１の側と前記第２の側と、前記中心領域の短軸によって分割され、
前記第１の側は、前記短軸と前記トゥ部分との間に設けられ、
前記第２の側は、前記短軸と前記ヒール部分との間に設けられ、
前記中心領域の前記第２の側の表面積に対する前記中心領域の前記第１の側の表面積の比率は１．２から２．０の間である、請求項１１から１７のいずれか一項に記載のゴルフクラブヘッド。
【請求項１９】
前記フェース板は、
上方ヒール側四分円と、
上方トゥ側四分円と、
下方ヒール側四分円と、
下方トゥ側四分円と、を備え、
前記中心領域の全表面積のより大きな割合が、前記下方ヒール側四分円、前記上方ヒール側四分円、及び前記下方トゥ側四分円のうちの１つ以上においてよりも、前記上方トゥ側四分円において設けられている、請求項１１から１８のいずれか一項に記載のゴルフクラブヘッド。
【請求項２０】
前記中心領域は卵状の楕円形を有する、請求項１１から１９のいずれか一項に記載のゴルフクラブヘッド。
【手続補正２】
【補正対象書類名】明細書
【補正対象項目名】００５５
【補正方法】変更
【補正の内容】
【００５５】
（ｉｖ．可変厚さプロフィールの便益）
楕円形、卵形、又は、卵のような形は、可変厚さプロフィール４０の中心領域５０の角度と共に、フェース板２０のより厚い領域を本質的に高いＣＴを有する領域に設けることができ、フェース板２０のより薄い領域を本質的に低いＣＴを有する領域に設けることができる。従って、本質的に高いＣＴを有するフェースの領域は縮小させられ、本質的に小さいＣＴを有するフェースの領域は増大させられ、フェース板２０にわたって標準化されたＣＴをもたらす。多くの実施形態において、可変厚さプロフィール４０は、１１５マイクロ秒未満、１１０マイクロ秒未満、１０５マイクロ秒未満、１００マイクロ秒未満、９５マイクロ秒未満、９０マイクロ秒未満、又は、８５マイクロ秒未満の特性時間における範囲をもたらす。さらに、多くの実施形態において、可変厚さプロフィール４０は、２３０マイクロ秒よりも大きい、２３５マイクロ秒よりも大きい、又は、２４０マイクロ秒よりも大きい平均特性時間をもたらす。例えば、多くの実施形態において、フェース板２０の平均ＣＴは、２３０マイクロ秒から２４０マイクロ秒の間、２３５マイクロ秒から２４０マイクロ秒の間、又は、２４０マイクロ秒から２４５マイクロ秒の間であってもよい。
【手続補正３】
【補正対象書類名】明細書
【補正対象項目名】００９１
【補正方法】変更
【補正の内容】
【００９１】
（ｖ．便益）
楕円形、卵形、又は、卵のような形は、可変厚さプロフィール１４０の中心領域１５０の角度と共に、フェース板１２０のより厚い領域を本質的に高いＣＴを有する領域に設けることができ、フェース板１２０のより薄い領域を本質的に低いＣＴを有する領域に設けることができる。従って、本質的に高いＣＴを有するフェースの領域は縮小させられ、本質的に小さいＣＴを有するフェースの領域は増大させられ、フェース板１２０にわたって標準化されたＣＴ、及び、フェース板１２０の平均ＣＴの増加をもたらす。多くの実施形態において、可変厚さプロフィール１４０は、１１５マイクロ秒未満、１１０マイクロ秒未満、１０５マイクロ秒未満、１００マイクロ秒未満、９５マイクロ秒未満、９０マイクロ秒未満、又は、８５マイクロ秒未満の特性時間における範囲をもたらす。さらに、多くの実施形態において、可変厚さプロフィール１４０は、２３０マイクロ秒よりも大きい、２３５マイクロ秒よりも大きい、又は、２４０マイクロ秒よりも大きい平均特性時間をもたらす。例えば、多くの実施形態において、フェース板２０の平均ＣＴは、２３０マイクロ秒から２４０マイクロ秒の間、２３５マイクロ秒から２４０マイクロ秒の間、又は、２４０マイクロ秒から２４５マイクロ秒の間であってもよい。
【手続補正４】
【補正対象書類名】明細書
【補正対象項目名】０１０１
【補正方法】変更
【補正の内容】
【０１０１】
下記の表１は、対照用のクラブヘッドと比較された例示のクラブヘッド１００のＣＴの結果を示している。対照用のクラブヘッドの２５箇所の測定された場所についてのＣＴにおける範囲は１３３マイクロ秒であった。例示のクラブヘッド１００の２５箇所の測定された場所についてのＣＴにおける範囲は９７マイクロ秒であった。これらの結果は、例示のクラブヘッド１００のＣＴにおける範囲は、対照用のクラブヘッドのＣＴにおける範囲より２７％小さかったことを示している。したがって、本明細書で説明されている可変厚さプロフィール１４０は、本明細書に説明されている形及び／又は角度のない可変厚さプロフィールと比較して、フェースにわたってのＣＴにおける可変性を相当に低減し、標準化されたＣＴをもたらす。
【手続補正５】
【補正対象書類名】明細書
【補正対象項目名】０１０２
【補正方法】変更
【補正の内容】
【０１０２】
【表１】
2020518372.tif 000001
【手続補正６】
【補正対象書類名】明細書
【補正対象項目名】０１０３
【補正方法】変更
【補正の内容】
【０１０３】
また、表１におけるデータは、対照用のクラブヘッドと比較して、例示のクラブヘッド１００のヒール領域（例えば、点１Ａ、２Ａ、３Ａ、４Ａ、及び５Ａ）において、より大きいＣＴ値を示している。例えば、四分円１２０Ａ（例えば、点１Ａ、２Ａ、１Ｂ、及び２Ｂ）における例示のクラブヘッド１００の平均ＣＴは、対照用のクラブヘッドと比較して、可変厚さプロフィール１４０の結果としておおよそ２１１．０マイクロ秒から２２３．３マイクロ秒まで増加した。さらなる例として、四分円１２０Ｃ（例えば、点４Ａ、５Ａ、４Ｂ、及び５Ｂ）における例示のクラブヘッド１００の平均ＣＴは、対照用のクラブヘッドと比較して、おおよそ１８６．５マイクロ秒から１９３．８マイクロ秒まで増加した。下記の表１は、１つのテストから群Ａ、Ｂ、Ｃ、及びＤについての平均ＣＴ値を描写している。
【手続補正７】
【補正対象書類名】明細書
【補正対象項目名】０１０４
【補正方法】変更
【補正の内容】
【０１０４】
さらに、例示のクラブヘッド１００は、対照用のクラブヘッドと比較して、フェース板１２０にわたる平均ＣＴにおける１．２〜３．１％の増加をさらに実証している。明確には、対照用のクラブヘッドの様々なサンプルの平均ＣＴは２０８マイクロ秒であり、例示のクラブヘッド１００の様々なサンプルの平均ＣＴは２１４．８マイクロ秒であった。
【手続補正８】
【補正対象書類名】明細書
【補正対象項目名】０１１０
【補正方法】変更
【補正の内容】
【０１１０】
本開示の様々な特徴及び利点が、以下の条項において述べられている。
以下の項目は、出願当初の特許請求の範囲に記載の要素である。
（項目１）
標準化された特性時間を有するゴルフクラブヘッドであって、
内部空洞を画定するクラウン部分、ソール部分、トゥ部分、ヒール部分、及び、リア部分を有するボディと、
フェース板と、を備え、
前記フェース板は、
前面と、
後面と、
前記ヒール部分近傍から前記トゥ部分近傍へと延びる水平軸、及び、前記水平軸に対して垂直であり、前記クラウン部分近傍から前記ソール部分近傍へと延びる鉛直軸を有する座標系の原点を画定する幾何学的中心と、
前記前面と前記後面との間で測定され、可変厚さプロフィールを画定するために前記フェース板にわたる異なる場所において変化する厚さと、を備え、
前記可変厚さプロフィールは、
前記フェース板の最小厚さを備える周囲領域と、
移行領域と、
前記フェース板の最大厚さを備える中心領域と、を備え、
前記中心領域は、前記鉛直軸に対して２度から６０度の間の角度で延びる長軸を有する卵形の形状を有する、
ゴルフクラブヘッド。
（項目２）
前記中心領域の前記長軸は、前記鉛直軸に対して２度から３０度の間の角度で延びる、項目１に記載のゴルフクラブヘッド。
（項目３）
前記フェース板の前記幾何学的中心が、前記中心領域内に設けられている、項目１に記載のゴルフクラブヘッド。
（項目４）
前記移行領域における前記フェース板の前記厚さは、前記中心領域における前記フェース板の前記最大厚さと、前記周囲領域における前記フェース板の前記最小厚さと、の間で徐々に小さくなる、項目１に記載のゴルフクラブヘッド。
（項目５）
前記フェース板の特性時間の範囲は１１０秒未満である、項目１に記載のゴルフクラブヘッド。
（項目６）
前記フェース板の特性時間の範囲は１００秒未満である、項目１に記載のゴルフクラブヘッド。
（項目７）
前記フェース板の平均特性時間は２３０秒から２４５秒の間である、項目１に記載のゴルフクラブヘッド。
（項目８）
前記フェース板の平均特性時間は２３５秒から２４５秒の間である、項目６に記載のゴルフクラブヘッド。
（項目９）
前記中心領域は、さらに、第１の側と第２の側とを備え、
前記第１の側と前記第２の側と、前記中心領域の短軸によって分割され、
前記第１の側は、前記短軸と前記トゥ部分との間に設けられ、
前記第２の側は、前記短軸と前記ヒール部分との間に設けられ、
前記中心領域の前記第２の側の表面積に対する前記中心領域の前記第１の側の表面積の比率は１．２から２．０の間である、項目１に記載のゴルフクラブヘッド。
（項目１０）
前記フェース板は、
上方ヒール側四分円と、
上方トゥ側四分円と、
下方ヒール側四分円と、
下方トゥ側四分円と、を備え、
前記中心領域の全表面積のより大きな割合が、前記下方ヒール側四分円、前記上方ヒール側四分円、及び前記下方トゥ側四分円のうちの１つ以上においてよりも、前記上方トゥ側四分円において設けられている、項目１に記載のゴルフクラブヘッド。
（項目１１）
標準化された特性時間を有するゴルフクラブヘッドであって、
内部空洞を画定するクラウン部分、ソール部分、トゥ部分、ヒール部分、及びリア部分を有するボディと、
フェース板と、備え、
前記フェース板は、
前面と、
後面と、
前記ヒール部分近傍から前記トゥ部分近傍へと延びる水平軸、及び、前記水平軸に対して垂直であり、前記クラウン部分近傍から前記ソール部分近傍へと延びる鉛直軸を有する座標系の原点を画定する幾何学的中心と、
前記前面と前記後面との間で測定され、可変厚さプロフィールを画定するために前記フェース板にわたる異なる場所において変化する厚さと、を備え、
前記可変厚さプロフィールは、
前記フェース板の最小厚さを備える周囲領域と、
移行領域と、
前記フェース板の最大厚さを備える中心領域と、を備え、
前記フェース板の特性時間の範囲は１０５秒未満であり、
前記フェース板の平均特性時間は２３０秒から２４５秒の間である、
ゴルフクラブヘッド。
（項目１２）
前記フェース板の前記中心領域は、さらに、前記鉛直軸から２度から６０度の間の角度で延びる長軸を備える、項目１１に記載のゴルフクラブヘッド。
（項目１３）
前記フェース板の前記中心領域は、さらに、前記鉛直軸から２度から３０度の間の角度で延びる長軸をさらに備える、項目１２に記載のゴルフクラブヘッド。
（項目１４）
前記フェース板の前記幾何学的中心が前記中心領域に設けられている、項目１１に記載のゴルフクラブヘッド。
（項目１５）
前記移行領域における前記フェース板の前記厚さは、前記中心領域における前記フェース板の前記最大厚さと、前記周囲領域における前記フェース板の前記最小厚さと、の間で徐々に小さくなる、項目１１に記載のゴルフクラブヘッド。
（項目１６）
前記フェース板の特性時間の範囲は９５秒未満である、項目１１に記載のゴルフクラブヘッド。
（項目１７）
前記フェース板の平均特性時間は２３５秒から２４５秒の間である、項目１１に記載のゴルフクラブヘッド。
（項目１８）
前記中心領域は、さらに、第１の側と第２の側とを備え、
前記第１の側と前記第２の側と、前記中心領域の短軸によって分割され、
前記第１の側は、前記短軸と前記トゥ部分との間に設けられ、
前記第２の側は、前記短軸と前記ヒール部分との間に設けられ、
前記中心領域の前記第２の側の表面積に対する前記中心領域の前記第１の側の表面積の比率は１．２から２．０の間である、項目１１に記載のゴルフクラブヘッド。
（項目１９）
前記フェース板は、
上方ヒール側四分円と、
上方トゥ側四分円と、
下方ヒール側四分円と、
下方トゥ側四分円と、を備え、
前記中心領域の全表面積のより大きな割合が、前記下方ヒール側四分円、前記上方ヒール側四分円、及び前記下方トゥ側四分円のうちの１つ以上においてよりも、前記上方トゥ側四分円において設けられている、項目１１に記載のゴルフクラブヘッド。
（項目２０）
前記中心領域は卵状の楕円形を有する、項目１１に記載のゴルフクラブヘッド。